【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
被測定者の深部体温を測定する深部体温測定装置であって、
被測定者の熱画像を取得する熱画像取得部と、
前記熱画像取得部で取得された前記熱画像から深部体温推定アルゴリズムに従って前記被測定者の深部体温を推定し、推定した前記深部体温を前記深部体温測定装置による測定結果として出力する深部体温推定部と、
前記熱画像における、前記被測定者の測定される部位に応じて前記深部体温推定アルゴリズムを選択可能な制御部と、を備え、
前記深部体温推定部は、前記制御部によって選択された前記深部体温推定アルゴリズムに従って前記深部体温を推定する
深部体温測定装置。
【請求項２】
前記被測定者の個人認証を行う個人認証部を更に備え、
前記個人認証部による個人認証の結果に応じて前記部位が選択される
請求項１に記載の深部体温測定装置。
【請求項３】
前記熱画像取得部は、前記被測定者を含む空間を走査することによって、前記熱画像を取得し、
前記制御部は、さらに、前記個人認証部による個人認証の結果に応じて前記熱画像取得部による走査の方法を変更する
請求項２に記載の深部体温測定装置。
【請求項４】
前記被測定者に向けて送風する、又は、前記熱画像取得部が熱画像を取得し易くなるように音声によって前記被測定者に移動を促す出力部を有する測定支援部を更に備え、
前記制御部は、前記個人認証部による個人認証の結果に応じて前記測定支援部に対して動作指示を与える
請求項２に記載の深部体温測定装置。
【請求項５】
前記個人認証部は、前記被測定者を撮像する撮像機器を有し、
前記測定支援部は、前記撮像機器による撮像の態様を変更する機構を有し、
前記制御部は、前記個人認証部による個人認証の結果に応じて前記測定支援部に対して動作指示を与えることで前記撮像機器による撮像の態様を変更させる
請求項４に記載の深部体温測定装置。
【請求項６】
さらに、前記深部体温測定装置による深部体温の測定よりも高精度に深部体温を測定する高精度深部体温測定部を備え、
前記制御部は、前記高精度深部体温測定部による測定で得られた深部体温を用いて前記深部体温推定アルゴリズムを変更する
請求項１に記載の深部体温測定装置。
【請求項７】
さらに、前記被測定者に関する情報を入力するための入力部を備え、
前記制御部は、前記入力部によって入力された情報を用いて前記深部体温推定アルゴリズムを変更する
請求項１に記載の深部体温測定装置。
【請求項８】
前記個人認証部は、前記被測定者を撮像する撮像機器を有し、前記個人認証として、前記撮像機器で得られた画像から前記被測定者の識別情報、年齢、髪型、メガネの装着の有無、かかっている病気、性別、身長、人種、体重、生活情報のうちの少なくとも１つを特定する
請求項２に記載の深部体温測定装置。
【請求項９】
さらに、前記深部体温推定部から出力された測定結果を蓄積するデータベース部を備え、
前記制御部は、前記データベース部に蓄積された測定結果を参照することで、前記深部体温推定アルゴリズムを変更する
請求項１に記載の深部体温測定装置。
【請求項１０】
さらに、前記深部体温推定部から出力された測定結果を蓄積するデータベース部を備え、
前記個人認証部は、認証アルゴリズムに従って個人認証を行い、
前記制御部は、前記データベース部に蓄積された深部体温を参照することで、前記認証アルゴリズムを変更する
請求項２に記載の深部体温測定装置。
【請求項１１】
さらに、環境を測定する環境測定部を備え、
前記制御部は、前記環境測定部で測定された環境に依存して前記深部体温推定アルゴリズムを変更する
請求項１に記載の深部体温測定装置。
【請求項１２】
前記環境測定部は、温度計、湿度計、照度計及び風速計の少なくとも一つである
請求項１１に記載の深部体温測定装置。
【請求項１３】
さらに、前記被測定者の移動を制御する移動制御部を備え、
前記制御部は、前記個人認証部による個人認証の結果に応じて前記移動制御部に対して動作指示を与えることで前記被測定者の移動の態様を変更させる
請求項２に記載の深部体温測定装置。
【請求項１４】
請求項１〜１３のいずれかに記載の深部体温測定装置と、
前記深部体温測定装置から出力された測定結果に基づいて前記被測定者の状態を判断する状態判断部と、
前記深部体温測定装置から出力された測定結果を通信によって外部に提供する情報通信部と
を備える深部体温測定システム。
【請求項１５】
さらに、個人情報の開示が可能な連絡先が登録された一般連絡先記憶部を備え、
前記情報通信部は、前記深部体温測定装置の測定結果を前記一般連絡先記憶部に登録された連絡先に通知する
請求項１４に記載の深部体温測定システム。
【請求項１６】
前記情報通信部は、前記深部体温測定装置から出力された測定結果から統計データを算出し、算出した前記統計データを前記深部体温測定システムの一般の利用者に提供する
請求項１４に記載の深部体温測定システム。
【請求項１７】
前記情報通信部は、前記状態判断部によって前記被測定者の状態が緊急であると判断された場合に、前記被測定者の状態が緊急であることを、緊急連絡として、前記一般の利用者に通知する
請求項１６に記載の深部体温測定システム。
【請求項１８】
さらに、緊急連絡先が登録された緊急連絡先記憶部を備え、
前記情報通信部は、前記状態判断部によって前記被測定者の状態が異常又は緊急であると判断された場合に、前記緊急連絡先記憶部に登録された緊急連絡先に、前記深部体温測定装置から出力された測定結果を通知する
請求項１４に記載の深部体温測定システム。
【請求項１９】
前記情報通信部は、前記被測定者が使用する電子機器と接続され、前記状態判断部によって判断された前記被測定者の状態に応じて、前記電子機器に記録されたスケジュールを変更する
請求項１４に記載の深部体温測定システム。
【請求項２０】
さらに、前記被測定者の移動手段の手配に関する連絡、救命措置の手配に関する連絡、
及び、緊急連絡先への連絡を行う自動救命部を備え、
前記情報通信部は、前記状態判断部によって前記被測定者の状態が異常又は緊急であると判断された場合に、前記自動救命部に通知することで、前記自動救命部を動作させる
請求項１４に記載の深部体温測定システム。
【請求項２１】
被測定者の深部体温を測定する深部体温測定方法であって、
被測定者の熱画像を取得する熱画像取得ステップと、
前記熱画像取得ステップで取得された前記熱画像から深部体温推定アルゴリズムに従って前記被測定者の深部体温を推定し、推定した前記深部体温を測定結果として出力する深部体温推定ステップと、
前記熱画像における前記被測定者の測定される部位に応じて前記深部体温推定アルゴリズムを選択可能な制御ステップとを含み、
前記深部体温推定ステップでは、前記制御ステップによって選択された前記深部体温推定アルゴリズムに従って前記深部体温を推定する
深部体温測定方法。 
【手続補正２】
【補正対象書類名】明細書
【補正対象項目名】０００８
【補正方法】変更
【補正の内容】
【０００８】
上記目的を達成するために、本発明の一形態に係る深部体温測定装置は、被測定者の深部体温を測定する深部体温測定装置であって、被測定者の熱画像を取得する熱画像取得部と、前記熱画像取得部で取得された前記熱画像から深部体温推定アルゴリズムに従って前記被測定者の深部体温を推定し、推定した前記深部体温を前記深部体温測定装置による測定結果として出力する深部体温推定部と、前記熱画像における、前記被測定者の測定される部位に応じて前記深部体温推定アルゴリズムを選択可能な制御部とを備え、前記深部体温推定部は、前記制御部によって選択された前記深部体温推定アルゴリズムに従って前記深部体温を推定する。 
【手続補正３】
【補正対象書類名】明細書
【補正対象項目名】００１０
【補正方法】変更
【補正の内容】
【００１０】
上記目的を達成するために、本発明の一形態に係る深部体温測定方法は、被測定者の深部体温を測定する深部体温測定方法であって、被測定者の熱画像を取得する熱画像取得ステップと、前記熱画像取得ステップで取得された前記熱画像から深部体温推定アルゴリズムに従って前記被測定者の深部体温を推定し、推定した前記深部体温を測定結果として出力する深部体温推定ステップと、前記熱画像における前記被測定者の測定される部位に応じて前記深部体温推定アルゴリズムを選択可能な制御ステップとを含み、前記深部体温推定ステップでは、前記制御ステップによって選択された前記深部体温推定アルゴリズムに従って前記深部体温を推定する。